(57)【特許請求の範囲】
【請求項１】
互いに通信可能な画像データ送信装置と画像サーバとを含む画像通信システムにおいて，
上記画像データ送信装置が，
上記画像データ送信装置に固有の識別コードがあらかじめ記憶されている識別コード・メモリ，および
上記識別コード・メモリに記憶されている固有の識別コードを上記画像サーバに送信するコード送信手段を備え，
上記画像サーバが，
上記画像データ送信装置の上記コード送信手段から送信された識別コードにもとづいて，上記画像データ送信装置が上記画像サーバに画像データを送信する権限を有するかどうかを判定する判定手段，および
上記判定手段により上記画像データ送信装置が上記画像サーバに画像データを送信する権限を有すると判定されたことに応じて，送信許可を示すデータを上記画像データ送信装置に送信する許可データ送信手段を備え，
上記画像データ送信装置が，
上記画像サーバの上記許可データ送信手段から送信された許可データを受信したことに応じて，上記画像サーバに画像データを送信する画像データ送信手段，
上記画像データ送信装置の機種コードを記憶する機種コード・メモリ，および
上記機種コード・メモリに記憶されている機種コードと上記識別コード・メモリに記憶されている識別コードとから確認コードを生成する確認コード生成手段をさらに備え，
上記コード送信手段が上記確認コード生成手段によって生成された確認コードを上記画像サーバに送信するものであり，
上記画像サーバの上記判定手段が，
上記画像データ送信装置の上記コード送信手段から送信された確認コードにもとづいて，上記画像データ送信装置が上記画像サーバに画像データを送信する許可を有するかどうかを判定するものであり，
上記画像データ送信装置の上記コード送信手段から送信された確認コードから機種コードを復元する機種コード復元手段，および
上記画像データ送信装置の上記画像データ送信手段から送信された画像データを，上記機種コード復元手段によって復元された機種コードにもとづいて分類して記憶するように画像データベースを制御する画像データベース制御手段をさらに備えた，
画像通信システム。
【請求項２】
画像データ送信装置から送信された上記画像データ送信装置に固有の識別コードにもとづいて，上記画像データ送信装置が上記画像サーバに画像データを送信する権限を有するかどうかを判定する判定手段，および
上記判定手段により上記画像データ送信装置が上記画像サーバに画像データを送信する権限を有すると判定されたことに応じて，送信許可を示すデータを上記画像データ送信装置に送信する許可データ送信手段を備えた画像サーバにおいて，
上記判定手段が，
上記画像データ送信装置から送信された確認コードであって，上記画像データ送信装置の機種コードを記憶する機種コード・メモリに記憶されている機種コードと上記画像データ送信装置の識別コード・メモリに記憶されている識別コードとから生成された確認コードにもとづいて，上記画像データ送信装置が上記画像サーバに画像データを送信する許可を有するかどうかを判定するものであり，
上記画像データ送信装置から送信された確認コードから機種コードを復元する機種コード復元手段，および
上記画像データ送信装置から送信された画像データを，上記機種コード復元手段によって復元された機種コードにもとづいて分類して記憶するように画像データベースを制御する画像データベース制御手段，
を備えた画像サーバ。
【請求項３】
判定手段が，画像データ送信装置から送信された上記画像データ送信装置に固有の識別コードにもとづいて，上記画像データ送信装置が上記画像サーバに画像データを送信する権限を有するかどうかを判定し，
送信手段が，上記画像データ送信装置が上記画像サーバに画像データを送信する権限を有すると判定されたことに応じて，送信許可を示すデータを上記画像データ送信装置に送信する画像サーバの制御方法であって，
上記判定手段が，上記画像データ送信装置から送信された確認コードであって，上記画像データ送信装置の機種コードを記憶する機種コード・メモリに記憶されている機種コードと上記画像データ送信装置の識別コード・メモリに記憶されている識別コードとから生成された確認コードにもとづいて，上記画像データ送信装置が上記画像サーバに画像データを送信する許可を有するかどうかを判定するものであり，
復元手段が，上記画像データ送信装置から送信された確認コードから機種コードを復元し，
画像データベース制御手段が，上記画像データ送信装置から送信された画像データを，上記機種コード復元手段によって復元された機種コードにもとづいて分類して記憶するように画像データベースを制御する，
画像サーバの制御方法。
【発明の詳細な説明】
【技術分野】
【０００１】
この発明は，画像通信システムならびに画像送信装置および画像サーバならびに画像送信方法および画像サーバの制御方法に関する。
【背景技術】
【０００２】
無線ＬＡＮ（Local Area Network）の接続先を設定する場合（特許文献１）や，監視カメラ制御管理システム（特許文献２）などにおいては，利用者の認証のためにＩＤやパスワードが利用されることが多い。
【特許文献１】特開2001-144767号公報
【特許文献２】特開2002-77882号公報
【０００３】
しかしながら，ディジタル・スチル・カメラなどのように入力が容易なキーパッドを持たない情報機器ではＩＤやパスワードの入力が難しい。
【発明の開示】
【０００４】
この発明は，比較的簡単に認証ができるようにすることを目的とする。
【０００５】
この発明は，互いに通信可能な画像データ送信装置と画像サーバとを含む画像通信システムについてのものである。
【０００６】
上記画像データ送信装置は，上記画像データ送信装置に固有の識別コードがあらかじめ記憶されている識別コード・メモリ，および上記識別コード・メモリに記憶されている固有の識別コードを上記画像サーバに送信するコード送信手段を備えている。
【０００７】
上記画像サーバは，上記画像データ送信装置の上記コード送信手段から送信された識別コードにもとづいて，上記画像データ送信装置が上記画像サーバに画像データを送信する権限を有するかどうかを判定する判定手段，および上記判定手段により上記画像データ送信装置が上記画像サーバに画像データを送信する権限を有すると判定されたことに応じて，送信許可を示すデータを上記画像データ送信装置に送信する許可データ送信手段を備えている。
【０００８】
そして，上記画像データ送信装置は，上記画像サーバの上記許可データ送信手段から送信された許可データを受信したことに応じて，上記画像サーバに画像データを送信する画像データ送信手段をさらに備えている。
【０００９】
この発明によると，画像データ送信装置には，固有の識別コードがあらかじめ記憶されている識別コード・メモリが設けられている。識別コード・メモリに記憶されている識別コードが読み取られ，画像データ送信装置から画像サーバにその識別コードが送信される。
【００１０】
画像データ送信装置から送信された識別コードが画像サーバにおいて受信されると，画像データ送信装置が画像サーバに画像データを送信する権限を有するかどうかがその識別コードにもとづいて判定される。送信する権限を有すると判定されると，送信許可を示すデータが画像サーバから画像データ送信装置に送信される。送信許可データが画像データ送信装置において受信されると，画像送信装置から画像サーバに画像データが送信される。
【００１１】
画像データ送信装置のユーザは，ＩＤなどを入力することなく，画像データを送信する権限を有するかどうかが分かる。
【００１２】
上記画像サーバが，上記画像データ送信装置の上記画像データ送信手段から送信された画像データを，上記画像データ送信装置の識別コードに対応して記憶するように画像データベースを制御する第１の画像データベース制御手段をさらに備えるものでもよい。識別コードに対応して，画像データ送信装置から送信された画像データを管理することができるようになる。
【００１３】
上記画像データ送信装置が，上記識別コード・メモリに記憶されている識別コードを含む検査コードを生成する検査コード生成手段をさらに備えるようにしてもよい。この場合，上記コード送信手段は，上記検査コード生成手段によって生成された検査コードを上記画像サーバに送信するものとなろう。また，上記画像サーバの上記判定手段は，上記画像データ送信装置の上記コード送信手段から送信された検査コードにもとづいて，上記画像データ送信装置が上記画像サーバに画像データを送信する権限を有するかどうかを判定するものとなろう。
【００１４】
上記画像データ送信装置が，上記識別コード・メモリに記憶されている識別コードにもとづいてチェック・デジットを生成するチェック・デジット生成手段，および上記チェック・デジット生成手段により生成されたチェック・デジットを上記識別コード・メモリに記憶されている識別コードに付加するチェック・デジット付加手段をさらに備えるようにしてもよ。この場合，上記コード送信手段が，上記チェック・デジット付加手段によってチェック・デジットが付加された識別コードを上記画像サーバに送信するものとなろう。また，上記画像サーバの上記判定手段は，上記画像データ送信装置の上記コード送信手段から送信され，チェック・デジットが付加された識別コードにもとづいて，上記画像データ送信装置が上記画像サーバに画像データを送信する許可を有するかどうかを判定するものとなろう。
【００１５】
また，上記画像データ送信装置が，上記画像データ送信装置の機種コードを記憶する機種コード・メモリ，および上記機種コード・メモリに記憶されている機種コードと上記識別コード・メモリに記憶されている識別コードとから確認コードを生成する確認コード生成手段をさらに備えるようにしてもよい。この場合，上記コード送信手段が上記確認コード生成手段によって生成された確認コードを上記画像サーバに送信するものとなろう。さらに，上記画像サーバの上記判定手段が，上記画像データ送信装置の上記コード送信手段から送信された確認コードにもとづいて，上記画像データ送信装置の上記画像サーバに画像データを送信する許可を有するかどうかを判定するものでもよい。そして，上記画像データ送信装置の上記コード送信手段から送信された確認コードから機種コードを復元する機種コード復元手段，および上記画像データ送信装置の上記画像データ送信手段から送信された画像データを，上記機種コード復元手段によって復元された機種コードにもとづいて分類して記憶するように画像データベースを制御する第２の画像データベース制御手段をさらに備えるとよい。
【００１６】
画像データ送信装置の機種ごとに画像データを管理できるので，どのような機種からどのような画像データが送信されたのかがわかる。
【実施例】
【００１７】
図１は，この発明の実施例を示すもので，画像通信システムの概要を示している。
【００１８】
画像通信システムには，ディジタル・スチル・カメラ（画像データ送信装置）１，アクセス・ポイント装置20および画像サーバ30が含まれている。
【００１９】
ディジタル・スチル・カメラ１とアクセス・ポイント装置20とは無線ＬＡＮ（Local Area Network）を用いて互いにデータ通信が可能である。アクセス・ポイント装置20および画像サーバ30はいずれもインターネット網に接続されており，このインターネット網を介して互いにデータ通信が可能である。ディジタル・スチル・カメラ１がインターネット網に直接接続できるものであればアクセス・ポイント装置20は不要であることはいうまでもない。
【００２０】
アクセス・ポイント装置20は，自宅のほか喫茶店，デパート，アミューズメント・スポットなどさまざまな場所に配置されている。ディジタル・スチル・カメラ１のユーザは，アクセス・ポイント装置20と無線ＬＡＮを用いて通信可能な範囲内にディジタル・スチル・カメラ１を持っていき，無線ＬＡＮを用いたデータ通信を行うこととなる。
【００２１】
図２は，ディジタル・スチル・カメラ１の電気的構成を示すブロック図である。
【００２２】
ディジタル・スチル・カメラ１の全体の動作は，ＣＰＵ４によって統括される。
【００２３】
ディジタル・スチル・カメラ１には，シャッタ・レリーズ・ボタン，ＯＫボタン，キャンセル・ボタン，上下左右のそれぞれの矢印が押下可能に設けられている上下左右ボタン，モード設定ダイアル，決定ボタンなどのボタン類７が含まれている。このボタン類７から出力される各種信号は，ＣＰＵ４に入力する。モード設定ダイアルによって設定できるモードには，撮像モード，再生モード，無線ＬＡＮ通信モードなどの各種モードがある。
【００２４】
モード設定ダイアルによって撮像モードが設定されると，ＣＣＤ２によって被写体が撮像され，被写体像を表す映像信号が信号処理回路７に入力する。信号処理回路３において白バランス調整，アナログ／ディジタル変換処理などの所定の信号処理が行われ，被写体像を表すディジタル画像データが出力される。ディジタル画像データは，表示制御回路11を介して液晶表示装置12に与えられる。被写体像が液晶表示装置12の表示画面に表示される。
【００２５】
シャッタ・レリーズ・ボタンが押されると，撮像により得られたディジタル画像データはフレーム・メモリ５に与えられ一時的に記憶される。ディジタル画像データは，フレーム・メモリ５から読み出され，記録媒体制御回路９によってメモリ・カード13に記録される。必要に応じて画像データのデータ圧縮処理が行われ，データ圧縮された画像データがメモリ・カード13に記録されるのはいうまでもない。
【００２６】
再生モードが設定されると，メモリ・カード13に記録されている画像データが記録制御回路９によって読み取られる。読み取られたディジタル画像データが表示制御回路11を介して液晶表示装置12に与えられる。メモリ・カード13に記録されている画像データによって表される画像が液晶表示装置12の表示画面上に表示されるようになる。必要に応じてデータ伸長処理が行われるのはいうまでもない。
【００２７】
無線ＬＡＮ通信モードが設定されると（無線ＬＡＮを利用した通信に必要なWEPKEY，ESSIDなどはすでに設定されているものとする），上述したアクセス・ポイント装置20との間で無線ＬＡＮを利用したデータ通信が可能となる。無線ＬＡＮ通信モードにおいて，メモリ・カード13に記憶されている画像データが読み取られ，無線ＬＡＮインターフェイス８からアクセス・ポイント装置20に送信され，アクセス・ポイント装置20から画像サーバ30に送信される。
【００２８】
この実施例によるディジタル・スチル・カメラ１においては，画像データを画像サーバ30（アクセス・ポイント装置20）に送信する場合に，ディジタル・スチル・カメラ１に固有のシリアル番号（シリアル・コード）から生成された検査数字（検査コード，確認コード）が利用される。検査数字にもとづいて，画像サーバ30に画像データを送信する権限があるディジタル・スチル・カメラ１かどうかが判断される。権限のあるディジタル・スチル・カメラ１のみが画像サーバ30への画像データを送信できる。このために，デイジタル・スチル・カメラ１には，シリアル番号および機種名データが記憶されているシリアル番号保管メモリ10およびシリアル番号から検査数字を生成するための検査数字生成回路６が設けられている。シリアル番号保管メモリ10には，ディジタル・スチル・カメラ１の機種名を示すデータも記憶されている。
【００２９】
図３は，画像サーバ30の電気的構成を示すブロック図である。
【００３０】
画像サーバ30の全体の動作は，ＣＰＵ32によって統括される。
【００３１】
画像サーバ30には，インターネット網と接続するための通信インターフェイス36およびデータを一時的に記憶するためなどのメモリ33が含まれている。
【００３２】
また，画像サーバ30には，ディジタル・スチル・カメラ１から送信される検査数字に含まれるシリアル番号などのユーザ情報を記憶するユーザ登録メモリ31，ディジタル・スチル・カメラ１から送信される検査数字からシリアル番号を復元して正当なシリアル番号かどうか（画像データを送信する権限を有するディジタル・スチル・カメラ１から画像データが送信されたものかどうか）を確認する検査数字確認回路34およびディジタル・スチル・カメラ１から送信された画像データを記憶する画像データベース35が含まれている。
【００３３】
図４は，画像サーバ30のユーザ登録メモリ31に記憶されるユーザ登録／画像保管テーブルの一例である。
【００３４】
ユーザ登録／画像保管テーブルには，シリアル番号，機種名，ファイル名（ディジタル・スチル・カメラ１から送信された画像データ（画像ファイル）のファイル名）および保管場所（ディジタル・スチル・カメラ１から送信された画像データの保管場所）が格納される。
【００３５】
詳しくは，後述するように，画像通信システムを利用してディジタル・スチル・カメラ１から画像サーバ30に画像データを送信する場合にはあらかじめユーザ登録が必要である。ユーザ登録処理においてディジタル・スチル・カメラ１から画像サーバ30にディジタル・スチル・カメラ１のシリアル番号および機種名が復元可能に含まれる検査数字が送信される。検査数字の中からシリアル番号および機種名が復元され，正当なシリアル番号および機種名であれば，ユーザ登録／画像保管テーブルに格納される（ユーザ登録）。
【００３６】
シリアル番号および機種名がユーザ登録／画像保管テーブルに格納された後に画像データが画像サーバ30に送信されると，シリアル番号および機種名を用いてユーザ登録されているかどうかが確認される。ユーザ登録されていると，画像データの送信が許可される。ディジタル・スチル・カメラ１から送信された画像データが画像サーバ30の画像データベース35に記憶され，そのファイル名および保管場所がユーザ登録／画像保管テーブルに格納される。したがって，ユーザ登録だけされており，画像データが画像データベース35に記憶されていない場合には，ユーザ登録／画像保管テーブルにはシリアル番号および機種名は格納されるが，ファイル名および保管場所は格納されていないこととなる。
【００３７】
図４に示すユーザ登録／画像保管テーブルにおいては，ファイル名および画像データの保管場所は，機種名ごとに分類されているともいうことができる。機種名ごとに分類されているので，どのような機種のディジタル・スチル・カメラ１から送信された画像データがどのような画像を表すものかが分かる。また，機種ごとの画像の特性，不具合等を知ることもできる。
【００３８】
図５は，ユーザ登録処理の処理手順を示すフローチャートである。
【００３９】
上述したようにディジタル・スチル・カメラ１は無線ＬＡＮモードに設定され，アクセス・ポイント装置20を介して，ディジタル・スチル・カメラ１と画像サーバ30との間で通信が確立しているものとする。
【００４０】
画像サーバ30からディジタル・スチル・カメラ１にアクセス・ポイント装置20を介してユーザ登録ページ・データが送信される（ステップ51）。
【００４１】
画像サーバ30から送信されたユーザ登録ページ・データがディジタル・スチル・カメラ１において受信されると，ディジタル・スチル・カメラ１の表示装置12の表示画面にユーザ登録ページが表示される（ステップ41）。
【００４２】
図６は，ユーザ登録ページの一例である。
【００４３】
液晶表示装置12の表示画面60に表示されるユーザ登録ページには，ＩＤ（シリアル番号が利用される）が表示されるシリアル番号表示領域61ならびにＯＫ領域62およびキャンセル領域63が含まれている。
【００４４】
シリアル番号表示領域61には，シリアル番号保管メモリ10に記憶されているシリアル番号が表示される。ディジタル・スチル・カメラ１に設けられているＯＫボタンが押されるとＯＫ領域62が点灯し，キャンセル・ボタンが押されるとキャンセル領域63が点灯する。もっとも，ＯＫボタンおよびキャンセル・ボタンの代わりに上下左右ボタンの左矢印が押されることによりＯＫ領域62が点灯し，右矢印が押されることによりキャンセル領域63が点灯し，決定ボタンが押されることにより，点灯している領域によって示される内容に決定されるようにしてもよい。
【００４５】
図５に戻って，キャンセル・ボタンが押されると（ステップ42），ユーザ登録処理は行われずに画像サーバ30にアクセスしたときに表示される初期ページが表示画面60上に表示される。ＯＫボタンが押されると（ステップ42），シリアル番号保管メモリ10に記憶されているシリアル番号および機種名データが読み取られ，ディジタル・スチル・カメラ１からアクセス・ポイント装置20を介して画像サーバ30に送信される（ステップ43）。
【００４６】
ディジタル・スチル・カメラ１から送信されたシリアル番号および機種名データが画像サーバ30において受信されると，シリアル番号および機種名が上述のようにユーザ登録／画像保管テーブルに格納される（ステップ52）。
【００４７】
上述の実施例においては，ユーザ登録処理において，ユーザ登録／画像保管テーブルにシリアル番号および機種名が格納されているが，シリアル番号および機種名のほかにディジタル・スチル・カメラ１のユーザ名，ユーザの住所，電話番号などをユーザ登録／画像保管テーブルに格納するようにしてもよい。
【００４８】
図７は，ディジタル・スチル・カメラ１から画像サーバ30に画像データが送信され，その送信された画像データが画像サーバ30に保管（記憶）されるデータ保管処理の処理手順を示すフローチャートである。
【００４９】
このデータ保管処理においてもディジタル・スチル・カメラ１と画像サーバ30との間の通信が確立しているものとする。また，画像サーバ30に送信される画像データも決定されているものとする。
【００５０】
まず，画像サーバ30からディジタル・スチル・カメラ１にログイン・ページ・データが送信される（ステップ81）。
【００５１】
画像サーバ30から送信されたログイン・ページ・データがディジタル・スチル・カメラ１において受信されると，ディジタル・スチル・カメラ１の表示画面60には，ログイン・ページが表示される（ステップ71）。
【００５２】
図８は，ディジタル・スチル・カメラ１の表示画面60に表示されるログイン・ページの一例である。
【００５３】
ログイン・ページには，ＩＤ（シリアル番号）表示領域64ならびにＯＫ領域62およびキャンセル領域63が含まれている。ＩＤ領域64には，ディジタル・スチル・カメラ１のシリアル番号保管メモリ10に記憶されているシリアル番号が表示される。
【００５４】
図７に戻って，ログイン・ページが表示されている場合にキャンセル・ボタンが押されると（ステップ72），表示画面60にはデータ保管処理が行われず初期ページが表示される。ＯＫボタンが押されると（ステップ72），シリアル番号保管メモリ10に記憶されているシリアル番号と機種名データとが読み取られ，検査数字生成回路６に与えられる。検査数字生成回路６において，シリアル番号と機種名とから暗号化された検査数字が生成される（ステップ73）。生成された検査数字を表すデータがアクセス・ポイント装置20を介してディジタル・スチル・カメラ１から画像サーバ30に送信される（ステップ74）。
【００５５】
ディジタル・スチル・カメラ１から送信された検査数字を表すデータが画像サーバ30において受信されると，検査数字確認回路34において検査数字が復号され，シリアル番号と機種名とが得られる（ステップ82）。得られたシリアル番号と機種名とがすでにユーザ登録／画像保管テーブルに格納されているかどうか（ユーザ登録されているかどうか）が確認される（ステップ83）。
【００５６】
得られたシリアル番号と機種名とがすでにユーザ登録／画像保管テーブルに格納されていると（ステップ83でＹＥＳ），認証成功ページ・データ（許可データ）が画像サーバ30からディジタル・スチル・カメラ１に送信される（ステップ84）。
【００５７】
画像サーバ30から送信された認証成功ページ・データがディジタル・スチル・カメラ１において受信されると（ステップ75でＹＥＳ），ディジタル・スチル・カメラ１の表示画面60には認証成功ページが表示される（ステップ76）。ディジタル・スチル・カメラ１のユーザは，認証成功ページを見ることにより，画像データを画像サーバ30に送信できることが分かる。メモリ・カード13から画像データが読み取られ，読み取られた画像データがディジタル・スチル・カメラ１から画像サーバ30に送信されることとなる（ステップ77）。
【００５８】
ディジタル・スチル・カメラ１から送信された画像データが画像サーバ30において受信されると，その受信した画像データが画像データベース35に格納される（ステップ85）。さらに，ユーザ登録／画像保管テーブルには，画像データを送信したディジタル・スチル・カメラ１のシリアル番号と機種名に対応して画像ファイル名（画像データが格納されているファイル名）および画像データベース35における画像データの保管場所が格納される。
【００５９】
画像サーバ30において得られたシリアル番号と機種名とがすでにユーザ登録／画像保管テーブルに格納されていると（ステップ83でＮＯ），認証失敗ページ・データが画像サーバ30からディジタル・スチル・カメラ１に送信される（ステップ86）。
【００６０】
ディジタル・スチル・カメラ１において，認証成功ページ・データを受信せずに認証失敗ページ・データが受信されると（ステップ75でＮＯ），ディジタル・スチル・カメラ１の表示画面60には認証失敗ページが表示される（ステップ78）。ディジタル・スチル・カメラ１のユーザは，認証失敗ページを見ることにより画像サーバ30に画像データを送信する権限がないことが分かる。必要に応じて，ユーザ登録を行うこととなろう。
【００６１】
ディジタル・スチル・カメラ１のシリアル番号が「1003231」，機種名が「Ｆ410」であったとすると，これらの数字（記号が含まれていてもよい）を用いて暗号化されることにより生成される検査数字（検査符号）は，「794E325421284」となる。この検査数字がディジタル・スチル・カメラ１から画像サーバ30に送信される。画像サーバ30において検査数字「794E325421284」からシリアル番号「1003231」および機種名「Ｆ410」が復号される。復号されたシリアル番号および機種名がユーザ登録／画像保管テーブルに格納される。
【００６２】
上述した実施例においては，画像サーバ30に画像データを送信するのにパスワードは用いられていないが，パスワードを用いるようにしてもよい。
【００６３】
図９は，ログイン・ページの他の一例である。
【００６４】
図９に示すログイン・ページには，図８に示すログイン・ページに含まれているＩＤ表示領域64ならびにＯＫ領域62およびキャンセル領域63の他にパスワード領域65およびパスワード変更領域66が含まれている。
【００６５】
パスワードを利用してディジタル・スチル・カメラ１から画像サーバ30に画像データが送信される場合には，ディジタル・スチル・カメラ１のシリアル番号保管メモリ10にシリアル番号および機種名データのほかにパスワードがあらかじめ記憶される。表示画面60にログイン・ページが表示されるときには，シリアル番号保管メモリ10からシリアル番号および機種名データのほかにあらかじめ記憶されているパスワードも読み取られる。読み取られたパスワードの桁数に対応した数のアスタリスクがパスワード領域65に表示される。ＯＫボタンが押されると，シリアル番号および機種名とともにパスワードがディジタル・スチル・カメラ１から画像サーバ30に送信される。画像サーバ30においては，シリアル番号および機種名だけでなく，パスワードを用いて認証することとなる。画像サーバ30にはパスワードがあらかじめ記憶されているのはいうまでもない。
【００６６】
また，バスワードを変更することもできる。このためにログイン・ページにはパスワード変更領域66も設けられている。パスワードを変更する場合には，上下左右ボタンの左矢印が押される。すると，パスワード変更領域66が点灯する。決定ボタンが押されると，パスワード変更領域66が点灯し，パスワード変更処理に移行する。パスワード変更処理に移行すると，パスワード領域65にカーソルが新たに表示される。上下左右ボタンの左矢印または右矢印の押し下げに応じてカーソルが移動する。移動したカーソルの左側のアスタリスクが点灯し，上下左右ボタンの上矢印または下矢印の押し下げに応じてその点灯しているアスタリスクの代わりに数字または記号が表示される。決定ボタンが押されることにより，表示されている数字または記号がその桁のパスワードとされる。パスワードの変更が終了すると再び決定ボタンが押され，変更されたパスワードが確定する。変更されたパスワードは，変更前のパスワードとともにディジタル・スチル・カメラ１から画像サーバ30に送信され，画像サーバ30に記憶されている変更前のパスワードが変更される。画像サーバ30に記憶されているパスワードが変更されることにより，変更後のパスワードを用いて画像データをディジタル・スチル・カメラ１から画像サーバ30に送信できるようになる。
【００６７】
上述した実施例においては，シリアル番号と機種名との両方を用いて画像サーバ30に画像データを送信できるかどうかの認証を行っているが，機種名を用いずにシリアル番号を用いて認証を行うようにしてもよい。また，ディジタル・スチル・カメラ１の検査数字生成回路６においてシリアル番号にチェック・デジットを付加して，チェック・デジットが付加されたシリアル番号を，画像サーバ30に送信するようにしてもよい。チェック・デジットが付加されているので，シリアル番号のご認識を未然に防止できる。
【図面の簡単な説明】
【００６８】
【図１】画像通信システムの全体構成を示している。
【図２】ディジタル・スチル・カメラの電気的構成を示している。
【図３】画像サーバの電気的構成を示している。
【図４】ユーザ登録／画像保管テーブルを示している。
【図５】ユーザ登録処理の処理手順を示すフローチャートである。
【図６】ユーザ登録ページの一例である。
【図７】データ保管処理の処理手順を示すフローチャートである。
【図８】ログイン・ページの一例である。
【図９】ログイン・ページの一例である。
【符号の説明】
【００６９】
１  ディジタル・スチル・カメラ
４，32  ＣＰＵ
６  検査数字生成回路
８  無線ＬＡＮインターフェイス
10  シリアル番号保管回路（識別コード・メモリ）
30  画像サーバ
31  ユーザ登録メモリ
34  検査数字確認回路
35  画像データベース
36  通信インターフェイス
【図１】
0004764613.tif 000002
【図２】
0004764613.tif 000003
【図３】
0004764613.tif 000004
【図４】
0004764613.tif 000005
【図５】
0004764613.tif 000006
【図６】
0004764613.tif 000007
【図７】
0004764613.tif 000008
【図８】
0004764613.tif 000009
【図９】
0004764613.tif 000010